(57)【要約】【課題】使用時の身体へのフィット性を一層向上させることが可能な羽毛布団を提供すること。【解決手段】羽毛布団Ｆ１は、羽毛層と、羽毛層の外周側を全周にわたって覆うように配置される真綿層と、を有した二層構造とされる。羽毛層と真綿層とは、袋状の隔壁部によって、相互に区画される。真綿層の外周側を覆う外袋部９が、内表面を、真綿層を滑らせがたく構成される。外袋部９におけるの短辺９ａ，９ｂ側に、係止時に、少なくとも外袋部９及び真綿層にタックを形成するようにして、短辺９ａ，９ｂの長さ寸法を縮め可能な一対の係止部１０Ｌ，１０Ｒが、形成される。係止部１０Ｌ，１０Ｒは、短辺９ａ，９ｂの中心から左右の外方にずれた位置であって、少なくとも略左右対称となる２箇所に、形成される。【選択図】図１
2015134115.tif 000002
【特許請求の範囲】
【請求項１】
羽毛層と、該羽毛層の外周側を全周にわたって覆うように配置される真綿層と、を有した二層構造とされ、
前記羽毛層と前記真綿層とは、袋状の隔壁部によって、相互に区画され、
前記真綿層の外周側を覆う外袋部が、内表面を、前記真綿層を滑らせがたく構成される略長方形状の羽毛布団において、
前記外袋部における少なくとも一方の短辺側に、係止時に、少なくとも前記外袋部及び前記真綿層にタックを形成するようにして、前記短辺の長さ寸法を縮め可能な一対の係止部が、形成され、
該係止部は、前記短辺の中心から左右の外方にずれた位置であって、少なくとも略左右対称となる２箇所に、形成されていることを特徴とする羽毛布団。
【請求項２】
前記係止部が、前記外袋部において、対向して配置される２つの短辺に、それぞれ、形成されていることを特徴とする請求項１に記載の羽毛布団。
【請求項３】
一対の前記係止部が、それぞれ、前記外袋部の外周縁から突出して形成されていることを特徴とする請求項１又は２に記載の羽毛布団。
【請求項４】
羽毛と、該羽毛を収納させるための内袋部と、を有した羽毛布団本体と、
真綿と、該真綿を内部に収納させた二重袋部と、を有して、前記羽毛布団本体を内部に収納させて、前記羽毛布団本体の外周側を全周にわたって覆い可能とされるカバー部と、
を備える構成とされ、
前記内袋部と、前記二重袋部における前記真綿の内周側に配置される内周壁と、が、前記隔壁部を構成し、
前記二重袋部における前記真綿の外周側に配置される外周壁が、前記外袋部を、構成していることを特徴とする請求項１乃至３のいずれか１項に記載の羽毛布団。
【請求項５】
前記カバー部に、前記羽毛布団本体を出し入れ可能な開閉手段が、形成されていることを特徴とする請求項４に記載の羽毛布団。
【請求項６】
袋状の外側袋部と内側袋部とを有した二重袋状として、内部に真綿が収納され、
前記内側袋部が、羽毛布団を内部に収納可能とし、かつ、前記羽毛布団の外周側を全周にわたって覆い可能に構成され、
前記真綿の外周側を覆う前記外側袋部が、内表面を、前記真綿を滑らせがたく構成され、
前記羽毛布団を出し入れ可能な開閉手段を、備え、
前記外側袋部における少なくとも一方の短辺側に、係止時に、タックを形成するようにして、前記短辺の長さ寸法を縮め可能な一対の係止部が、形成され、
該係止部は、前記短辺の中心から左右の外方にずれた位置であって、少なくとも略左右対称となる２箇所に、形成されていることを特徴とする羽毛布団用カバー。
【発明の詳細な説明】
【技術分野】
【０００１】
本発明は、羽毛層と、羽毛層の外周側を全周にわたって覆うように配置される真綿層と、を有した二層構造の羽毛布団に関する。
【背景技術】
【０００２】
従来、羽毛層の外周側に、羽毛より重く、かつ、保温性及び吸湿性の良好な真綿を配置させることにより、保温性や身体へのフィット性を向上させた二層構造の羽毛布団があった（例えば、特許文献１参照）。
【先行技術文献】
【特許文献】
【０００３】
【特許文献１】特許第３３８２４１３号
【発明の概要】
【発明が解決しようとする課題】
【０００４】
しかし、従来の羽毛布団においても、羽毛布団が単なる扁平な長方形状であることから、就寝時等において身体にかけた際に、身体に円滑に沿わせがたく、使用時の身体へのフィット性を向上させる点に、改善の余地があった。
【０００５】
本発明は、上述の課題を解決するものであり、使用時の身体へのフィット性を一層向上させることが可能な羽毛布団を提供することを目的とする。
【課題を解決するための手段】
【０００６】
本発明に係る羽毛布団は、羽毛層と、羽毛層の外周側を全周にわたって覆うように配置される真綿層と、を有した二層構造とされ、
羽毛層と真綿層とは、袋状の隔壁部によって、相互に区画され、
真綿層の外周側を覆う外袋部が、内表面を、真綿層を滑らせがたく構成される略長方形状の羽毛布団において、
外袋部における少なくとも一方の短辺側に、係止時に、少なくとも外袋部及び真綿層にタックを形成するようにして、短辺の長さ寸法を縮め可能な一対の係止部が、形成され、
係止部は、短辺の中心から左右の外方にずれた位置であって、少なくとも略左右対称となる２箇所に、形成されていることを特徴とする。
【０００７】
本発明の羽毛布団では、外袋部における少なくとも一方の短辺側に、一対の係止部が、少なくとも左右方向に沿って離れた２箇所に形成されており、この係止部の係止時には、少なくとも外袋部及び真綿層にタックが形成されることとなる。そのため、就寝時等において身体にかけた際に、肩口のあたりに位置する短辺側の部位を、少なくとも２つのタックを設け、このタックの部位で屈曲させることにより、羽毛布団を、就寝時の身体に沿うように立体的に配置させることができて、使用時に、羽毛布団が身体から滑り落ちることを抑制できる。また、本発明の羽毛布団では、羽毛層の外周側に、羽毛より重い真綿層を配置させ、この真綿層は、外袋部の内表面に対して滑り難く、外袋部に対して位置ずれし難いことから、全域にわたって羽毛層を略均等に押えることができ、羽毛布団自体の自重自体によっても、羽毛布団を、身体との間に大きな隙間が生じることを抑制して、身体に沿わせることができる。そのため、係止部を係止させて、少なくとも２つのタックを設けることと相まって、身体と羽毛布団との間に隙間が生じることを抑制でき、身体への良好なフィット性を確保することができる。
【０００８】
したがって、本発明の羽毛布団では、使用時の身体へのフィット性を一層向上させることができる。
【０００９】
また、本発明の羽毛布団において、係止部を、外袋部において、対向して配置される２つの短辺に、それぞれ、形成させる構成とすれば、使用時に、どちらの短辺を頭側にしてもよく、使い勝手が良好となり、また、対向して配置される２つの短辺側の係止部を、ともに、係止させて使用すれば、羽毛布団全体が立体的に配置されることとなり、身体の周囲を略全面にわたって隙間なく覆うような立体状となって好ましい。
【００１０】
さらに、上記構成の羽毛布団において、一対の係止部を、それぞれ、外袋部の外周縁から突出させて形成する構成とすれば、係止部が、真綿層や羽毛層の配置される領域から外れて配置されることとなり、真綿や羽毛への影響を極力小さくして、係止部を配置させることができて、係止部の配置部位から真綿や羽毛がはみ出ることを抑制できて、好ましい。
【００１１】
さらに、上記構成の羽毛布団を、羽毛と、羽毛を収納させるための内袋部と、を有した羽毛布団本体と、
真綿と、真綿を内部に収納させた二重袋部と、を有して、羽毛布団本体を内部に収納させて、羽毛布団本体の外周側を全周にわたって覆い可能とされるカバー部と、
を備える構成とし、
内袋部と、二重袋部における真綿の内周側に配置される内周壁と、により、隔壁部を構成し、
二重袋部における真綿の外周側に配置される外周壁により、外袋部を、構成することが、好ましい。
【００１２】
羽毛布団を上記構成とすれば、羽毛布団を、羽毛布団本体とカバー部とに容易に分離できることから、メンテナンス等が容易である。
【００１３】
さらにまた、上記構成の羽毛布団において、カバー部に、羽毛布団本体を出し入れ可能な開閉手段を、形成する構成とすれば、使用者が、容易に、羽毛布団本体とカバー部とを分離させることができることから、例えば、寒暖の差に応じて、カバー部を取り外した状態の羽毛布団本体単体を、使用することも可能となって、好ましい。
【００１４】
さらにまた、羽毛布団用カバーとして、袋状の外側袋部と内側袋部とを有した二重袋状として、内部に真綿を収納させ、
内側袋部を、羽毛布団を内部に収納可能とし、かつ、羽毛布団の外周側を全周にわたって覆い可能に構成し、
真綿の外周側を覆う外側袋部の内表面を、真綿を滑らせがたく構成し、
羽毛布団を出し入れ可能な開閉手段を、備え、
外側袋部における少なくとも一方の短辺側に、係止時に、タックを形成するようにして、短辺の長さ寸法を縮め可能な一対の係止部を、形成し、
係止部を、短辺の中心から左右の外方にずれた位置であって、少なくとも略左右対称となる２箇所に、形成させる構成としてもよい。
【００１５】
このような構成の羽毛布団用カバーは、既製品の羽毛布団を内部に収納させて使用することができ、例えば、手持ちの羽毛布団等、任意の羽毛布団を使用することができて、既製品の羽毛布団を使用した場合にも、就寝時等において身体にかけた際に、肩口のあたりに位置する短辺側の部位を、係止部相互を係止させることにより、カバーに生ずる少なくとも２つのタックの部位で、羽毛布団全体を屈曲させることにより、就寝時の身体に沿うように立体的に配置させることができて、使用時に、羽毛布団が身体から滑り落ちることを抑制できる。また、上記構成の羽毛布団用カバーは、羽毛より重い真綿を内部に収納させて構成されており、この真綿は、外側袋部の内表面に対して滑り難く、外側袋部に対して位置ずれし難いことから、全域にわたって羽毛を略均等に押えることができ、このカバーの自重自体によっても、羽毛布団を、身体との間に大きな隙間が生じることを抑制して、身体に沿わせることができる。そのため、係止部を係止させて、少なくとも２つのタックを設けることと相まって、身体と羽毛布団との間に隙間が生じることを抑制でき、身体への良好なフィット性を確保することができる。
【図面の簡単な説明】
【００１６】
【図１】本発明の第１実施形態である羽毛布団の平面図である。
【図２】第１実施形態の羽毛布団の概略部分拡大断面図であり、図１のII−II部位に対応する。
【図３】第１実施形態の羽毛布団の概略部分拡大断面図であり、図１のIII−III部位に対応する。
【図４】第１実施形態の羽毛布団の概略斜視図である。
【図５】第１実施形態の羽毛布団において、係止部を係止させた状態を示す概略部分拡大斜視図である。
【図６】第１実施形態の羽毛布団を、就寝時に使用した状態を示す概略図である。
【図７】本発明の第２実施形態である羽毛布団の平面図である。
【図８】第２実施形態の羽毛布団の部分拡大断面図であり、図７のVIII−VIII部位に対応する。
【図９】第２実施形態の羽毛布団において、係止部の部位を示す部分拡大平面図であり、係止前の状態と係止後の状態とを示す。
【発明を実施するための形態】
【００１７】
以下、本発明の一実施形態を図面に基づいて説明する。
【００１８】
第１実施形態の羽毛布団Ｆ１は、図１，４に示すように、外形形状を略長方形板状として構成されるもので、図２，３に示すように、羽毛布団本体１と、羽毛布団本体１を内部に収納させるためのカバー部５と、を備える構成とされている。
【００１９】
羽毛布団本体１は、羽毛（羽毛層）２と、羽毛２を収納させるための内袋部３と、を備えている。内袋部３は、織布製とされ、詳細には、内部に収納させた羽毛２の飛び出しを抑制可能に、織目を細かく設定された織布にダウンプルーフ加工を施した基布を使用して、形成されている。この内袋部３は、実施形態の場合、羽毛２（羽毛層）と、カバー部５の真綿６（真綿層）とを区画する袋状の隔壁部を、構成している。実施形態の場合、羽毛布団本体１は、カバー部５から分離可能として、カバー部５に形成される後述するファスナー部１１により、カバー部５に出し入れ自在とされている。
【００２０】
カバー部５は、図２，３に示すように、真綿（真綿層）６と、真綿６を内部に収納させた二重袋部７と、を有して構成されるもので、羽毛布団本体１を内部に収納させて、羽毛布団本体１の外周側を全周にわたって覆い可能に、構成されている。二重袋部７は、真綿６の内周側に配置される内周壁８と、真綿６の外周側に配置される外周壁９と、を備えるもので、内周壁８と外周壁９とは、それぞれ、袋状とされている。真綿６の内周側に配置される内周壁８は、羽毛布団本体１の内袋部３とともに、羽毛２（羽毛層）と、カバー部５の真綿６（真綿層）とを区画する袋状の隔壁部を、構成している。また、真綿６の外周側に配置される外周壁９は、羽毛布団Ｆ１の外壁となる外袋部を、構成している。内周壁８及び外周壁９は、織布製とされ、詳細には、内部に収納させた真綿６の飛び出しを抑制可能で、かつ、羽毛布団本体１の内袋部３よりも織目を荒く設定された織布から、形成されている。そして、実施形態の場合、二重袋部７において、真綿６の外周側を覆う外周壁９（外袋部）は、真綿６と接触する内表面を、真綿（真綿層）６に対する摩擦力を大きく設定されて、真綿６を滑らせ難い織布から、構成されている。具体的には、実施形態の場合、外周壁９と内周壁８とは、ともに、真綿６を滑らせ難い「日清紡エジプシャン２１」（日清紡ホールディングス株式会社製）を使用して、形成されている。
【００２１】
外周壁９（外袋部）において、対向して配置される２つの短辺９ａ，９ｂには、図１，４に示すように、係止部としての一対のスナップボタン１０Ｌ，１０Ｒが、それぞれ、２箇所ずつに、形成されている。一対のスナップボタン１０Ｌ，１０Ｒは、短辺９ａ，９ｂに沿った方向側で離隔して配置される雌型部１０ａと雄型部１０ｂとを有し、相互に係止可能に構成されている。各一対のスナップボタン１０Ｌ，１０Ｒは、外周壁９（外袋部）の短手方向側の中心線Ｌ１から左右の外方にずれた位置であって、それぞれ、この中心線Ｌ１を中心として略左右対称となる位置に、配置されている。実施形態の場合、各スナップボタン１０Ｌ，１０Ｒは、外周壁９の端縁９ｃ近傍において、それぞれ、短辺９ａ，９ｂを略三等分するような位置に、配置されている。また、実施形態の場合、各スナップボタン１０Ｌ，１０Ｒの雌型部１０ａ及び雄型部１０ｂは、図１，３に示すように、外周壁９の端縁９ｃ近傍であって、羽毛布団本体１の外方となる位置において、それぞれ、カバー部５全体（外周壁９と、外周壁９の間に挟んだ内周壁８）を挟持させるようにして、配置されている。すなわち、各スナップボタン１０Ｌ，１０Ｒは、羽毛布団本体１から外れた領域において、カバー部５を部分的に圧縮させるようにして、配置されている。また、各スナップボタン１０Ｌ，１０Ｒにおいて、雌型部１０ａと雄型部１０ｂとの離隔距離は、相互に係止させた際に、カバー部５全体に、外周壁９の端縁９ｃから、短辺９ａ，９ｂと略直交するように延びるようなタックＴ１（図５参照）を形成可能な寸法に、設定されている。そして、実施形態のカバー部５では、各スナップボタン１０Ｌ，１０Ｒの雌型部１０ａと雄型部１０ｂとを係止させれば、カバー部５（外周壁９）の短辺９ａ，９ｂ側の端縁９ｃ近傍の部位は、短辺９ａ，９ｂ自体の長さ寸法を縮めつつ、このスナップボタン１０Ｌ，１０Ｒの位置を屈曲点として、屈曲可能な態様となる。
【００２２】
また、カバー部５において、一方の長辺５ａ側には、図４に示すように、内部に羽毛布団本体１を出し入れ可能とする開閉手段としてのファスナー部１１が、形成されている。
【００２３】
第１実施形態の羽毛布団Ｆ１では、外袋部を構成するカバー部５の外周壁９の短辺９ａ，９ｂ側に、一対のスナップボタン１０Ｌ，１０Ｒ（係止部）が、左右方向に沿って離れた２箇所に形成されており、各スナップボタン１０Ｌ，１０Ｒの係止時には、カバー部５（外周壁９及び真綿６）にタックＴ１，Ｔ１が形成されることとなる。そのため、就寝時等において身体Ｂにかけた際に肩口のあたりに位置する外周壁９（外袋部）の短辺９ａ側の部位（羽毛布団Ｆ１の短辺側の部位）を、２つのタックＴ１，Ｔ１を設け、このタックＴ１の部位で屈曲させることにより、図６に示すように、羽毛布団Ｆ１を、就寝時の身体Ｂに沿うように立体的に配置させることができて、使用時に、羽毛布団Ｆ１が身体Ｂから滑り落ちることを抑制できる。また、第１実施形態の羽毛布団Ｆ１では、羽毛層（羽毛２）の外周側に、羽毛２より重い真綿層（真綿６）を配置させ、この真綿６は、外周壁９の内表面に対して滑り難く、外周壁９に対して位置ずれし難いことから、全域にわたって羽毛２を略均等に押えることができ、羽毛布団Ｆ１自体の自重自体によっても、羽毛布団Ｆ１を、身体Ｂとの間に大きな隙間が生じることを抑制して、身体Ｂに沿わせることができる。そのため、各スナップボタン１０Ｌ，１０Ｒを係止させて、２つのタックＴ１，Ｔ１を設けることと相まって、身体Ｂと羽毛布団Ｆ１との間に隙間が生じることを抑制でき、身体Ｂへの良好なフィット性を確保することができる。
【００２４】
したがって、第１実施形態の羽毛布団Ｆ１では、使用時の身体Ｂへのフィット性を一層向上させることができる。
【００２５】
また、第１実施形態の羽毛布団Ｆ１では、係止部としてのスナップボタン１０Ｌ，１０Ｒを、カバー部５の外周壁９において、対向して配置される２つの短辺９ａ，９ｂに、それぞれ、形成していることから、使用時に、どちらの短辺９ａ，９ｂを頭側にしてもよく、使い勝手が良好である。また、対向して配置される２つの短辺９ａ，９ｂ側のスナップボタン１０Ｌ，１０Ｒを、ともに、係止させて使用すれば、羽毛布団Ｆ１全体が立体的に配置されることとなり、身体の周囲を略全面にわたって隙間なく覆うような立体状となって、寝袋のように、身体の周囲を隙間なく覆うことができ、暖められた空気が逃げることを極力抑制できて、快適に使用することができる。勿論、このような点を考慮しなければ、係止部としてのスナップボタンを、外周壁における一方の短辺側のみに、配置させる構成としてもよい。
【００２６】
さらに、第１実施形態の羽毛布団Ｆ１は、羽毛布団本体１と、羽毛布団本体１の外周側を覆うカバー部５と、を備える構成としていることから、羽毛布団を、羽毛布団本体１とカバー部５とに容易に分離できて、メンテナンス等が容易である。なお、このような点を考慮しなければ、後述する第２実施形態のごとく、羽毛布団を、羽毛布団本体とカバー部とに分離不能な構成としてもよい。
【００２７】
さらにまた、第１実施形態の羽毛布団Ｆ１は、カバー部５に、羽毛布団本体１を出し入れ可能な開閉手段としてのファスナー部１１を形成していることから、使用者が、容易に、羽毛布団本体１とカバー部５とを分離させることができ、例えば、寒暖の差に応じて、カバー部５を取り外した状態の羽毛布団本体１単体を、使用することもできる。勿論、このような点を考慮しなければ、カバー部に、開閉手段を配置させない構成としてもよい。
【００２８】
次に、第２実施形態の羽毛布団Ｆ２について説明をする。第２実施形態の羽毛布団Ｆ２は、図７に示すように、外形形状を略長方形板状として構成されるもので、図８に示すように、二重袋状の袋部１６の内部に、羽毛１４と真綿１５とを、それぞれ収納させて構成される。詳細には、第２実施形態の羽毛布団Ｆ２では、袋部１６において内側に配置される内袋部１７の内部に羽毛１４を収納させ、外側に配置される外袋部１８と内袋部１７との間に真綿１５を収納させて、羽毛１４（羽毛層）と真綿１５（真綿層）とを二層構造としている。すなわち、この第２実施形態の羽毛布団Ｆ２では、内袋部１７が、羽毛１４（羽毛層）と真綿１５（真綿層）とを区画する袋状の隔壁部を構成している。第２実施形態の羽毛布団Ｆ２では、羽毛１４の外周側を覆う内袋部１７は、前述の第１実施形態の羽毛布団Ｆ１における内袋部３と同様に、内部に収納させた羽毛１４の飛び出しを抑制可能に、織目を細かく設定された織布にダウンプルーフ加工を施した基布を使用して、形成されている。また、真綿１５の外周側を覆う外袋部１８は、前述の第１実施形態の羽毛布団Ｆ１における外周壁９と同様に、真綿１５と接触する内表面を、真綿１５（真綿層）に対する摩擦力を大きく設定されて真綿１５を滑らせ難い「日清紡エジプシャン２１」（日清紡ホールディングス株式会社製）を使用して、形成されている。
【００２９】
外袋部１８において、対向して配置される２つの短辺１８ａ，１８ｂには、一対の係止部２０Ｌ，２０Ｒが、それぞれ、２箇所ずつに、形成されている（図７参照）。各一対の係止部２０Ｌ，２０Ｒは、外袋部１８の短手方向側の中心線Ｌ２から左右の外方にずれた位置であって、それぞれ、この中心線Ｌ２を中心として、略左右対称となる位置に、配置されている。実施形態の場合、各係止部２０Ｌ，２０Ｒは、外袋部１８の外周縁１８ｃから外方向に突出するように形成されるとともに、外袋部１８の短辺１８ａ，１８ｂをそれぞれ略三等分するような位置に、配置されている。各係止部２０Ｌ，２０Ｒは、図７，９に示すように、短辺１８ａ，１８ｂに沿った方向側で離隔して配置される係止片部２１と被係止部２２とを備えている。係止片部２１は、一端側を外袋部１８に連結させた可撓性を有した帯片状の部材から構成されるもので、先端側と中間部位とに、一対のスナップボタン２１ａを配置させて構成されている。被係止部２２は、可撓性を有した帯状体の両端を、外袋部１８に連結させたループ状として、係止片部２１を挿通可能に構成されている。そして、係止片部２１を、先端側を被係止部２２に挿通させた状態で、スナップボタン２１ａ相互を係止させれば、図９に示すように、係止片部２１と被係止部２２とを係止させることができて、被係止部２２と係止片部２１との間の部位の長さを縮めるようにして、羽毛布団Ｆ２（外袋部１８）の短辺１８ａ，１８ｂ側に、タックＴ２を形成することができる。なお、この係止片部２１と被係止部２２との離隔距離は、相互に係止させた際に、羽毛布団Ｆ２全体に、外袋部１８の端縁１８ｃから、短辺１８ａ，１８ｂと略直交するように延びるようなタックＴ２を形成可能な寸法に、設定されている。
【００３０】
この第２実施形態の羽毛布団Ｆ２においても、外袋部１８の短辺１８ａ，１８ｂ側に、一対の係止部２０Ｌ，２０Ｒが、左右方向に沿って離れた２箇所に形成されており、各係止部２０Ｌ，２０Ｒの係止時には、外袋部１８及び真綿１５を含めた羽毛布団Ｆ２全体に、タックＴ２，Ｔ２が形成されることとなる。そのため、タックＴ２，Ｔ２の部位で屈曲させることにより、就寝時の身体に沿うように立体的に配置させることができて、使用時に、羽毛布団Ｆ２が身体から滑り落ちることを抑制できる。また、第２実施形態の羽毛布団Ｆ２においても、羽毛層（羽毛１４）の外周側に、羽毛１４より重い真綿層（真綿１５）を配置させ、真綿１５は、外袋部１８の内表面に対して滑り難く、外袋部１８に対して位置ずれし難いことから、全域にわたって羽毛１４を略均等に押えることができ、羽毛布団Ｆ２自体の自重自体によっても、羽毛布団Ｆ２を、身体との間に大きな隙間が生じることを抑制して、身体に沿わせることができる。そのため、各係止部２０Ｌ，２０Ｒを係止させて、２つのタックＴ２，Ｔ２を設けることと相まって、身体と羽毛布団Ｆ２との間に隙間が生じることを抑制でき、身体への良好なフィット性を確保することができる。
【００３１】
したがって、第２実施形態の羽毛布団Ｆ２においても、使用時の身体へのフィット性を一層向上させることができる。
【００３２】
また、第２実施形態の羽毛布団Ｆ２では、一対の係止部２０Ｌ，２０Ｒを、それぞれ、外袋部１８の外周縁１８ｃから突出させて形成していることから、係止部２０Ｌ，２０Ｒが、真綿層（真綿１５）や羽毛層（羽毛１４）の配置される領域から外れて配置されることとなり、真綿１５や羽毛１４への影響を極力小さくして、係止部２０Ｌ，２０Ｒを配置させることができて、係止部２０Ｌ，２０Ｒの配置部位から真綿や羽毛がはみ出ることを抑制できる。なお、このような点を考慮しなければ、上述した第１実施形態の羽毛布団の如く、係止部を、外袋部（外周壁）の領域内に、配置させる構成としてもよい。
【００３３】
さらに、第２実施形態の羽毛布団Ｆ２では、一対の係止部２０Ｌ，２０Ｒは、一対のスナップボタン２１ａを有した係止片部２１と、ループ状の被係止部２２とを備える構成であることから、それぞれ、係止片部２１をループ状の被係止部２２に挿通させた状態で、係止片部２１に設けられる一対のスナップボタン２１ａ相互を係止させることにより、係止可能であり、係止片部２１の被係止部２２への係止作業が容易である。なお、外袋部の外周縁から突出させて配置される係止部の構成は、実施形態に限られるものではなく、例えば、外袋部の外周縁から突出して配置される二本の係止片部に、それぞれ、一対のスナップボタンを配置させ、スナップボタン相互を係止させる構成のものや、外袋部の外周縁から突出して配置される係止片部に、ループ状の被係止部を係止可能なボタンを配置させ、被係止部をボタンに引っかけるようにして、係止させる構成のもの等を、例示できる。
【００３４】
また、第１実施形態の羽毛布団Ｆ１に使用されるカバー部５を、羽毛布団用カバーとして、任意の羽毛布団を内部に収納させるようにして、使用してもよい。このような羽毛布団用カバーは、既製品の羽毛布団を内部に収納させて使用することができ、例えば、手持ちの羽毛布団等、任意の羽毛布団を使用することができる。そして、既製品の羽毛布団を使用した場合にも、就寝時等において身体にかけた際に、肩口のあたりに位置するカバーの短辺側の部位を、係止部相互を係止させることにより、カバーに生ずる少なくとも２つのタックの部位で、羽毛布団全体を屈曲させることにより、就寝時の身体に沿うように立体的に配置させることができて、使用時に、羽毛布団が身体から滑り落ちることを抑制できる。また、このような構成の羽毛布団用カバーは、羽毛より重い真綿を内部に収納させて構成されており、この真綿は、外周壁（外側袋部）の内表面に対して滑り難く、外周壁（外側袋部）に対して位置ずれし難いことから、全域にわたって羽毛を略均等に押えることができ、このカバーの自重自体によっても、羽毛布団を、身体との間に大きな隙間が生じることを抑制して、身体に沿わせることができる。そのため、係止部を係止させて、少なくとも２つのタックを設けることと相まって、身体と羽毛布団との間に隙間が生じることを抑制でき、身体への良好なフィット性を確保することができる。
【００３５】
なお、第１，第２実施形態の羽毛布団Ｆ１，Ｆ２では、係止部としてのスナップボタン１０Ｌ，１０Ｒ、及び、係止部２０Ｌ，２０Ｒを、それぞれ、２箇所ずつに配置させているが、係止部の配置数はこれに限られるものではなく、３箇所以上に配置させてもよい。しかしながら、製造コストと使い勝手とを考慮すれば、係止部を、左右対称となる２箇所に配置させることが好ましい。また、係止部の形状も、実施形態に限られるものではなく、相互に係止で、かつ、係止解除も容易な構成であれば、任意の係止部材を使用することができる。勿論、第１実施形態のタイプの羽毛布団に第２実施形態の羽毛布団に使用される係止部を設け、逆に、第２実施形態のタイプの羽毛布団に第１実施形態の羽毛布団に使用される係止部を設ける構成としてもよい。
【符号の説明】
【００３６】
１…羽毛布団本体、２…羽毛（羽毛層）、３…内袋部（隔壁部）、５…カバー部、６…真綿（真綿層）、７…二重袋部、８…内周壁（隔壁部）、９…外周壁（外袋部）、９ａ，９ｂ…短辺、１０Ｌ，１０Ｒ…スナップボタン（係止部）、１１…ファスナー部（開閉手段）、１４…羽毛（羽毛層）、１５…真綿（真綿層）、１７…内袋部（隔壁部）、１８…外袋部、１８ａ，１８ｂ…短辺、２０Ｌ，２０Ｒ…係止部、２１…係止片部、２１ａ…スナップボタン、２２…被係止部、Ｔ１，Ｔ２…タック、Ｆ１，Ｆ２…羽毛布団。
【図１】
2015134115.tif 000003
【図２】
2015134115.tif 000004
【図３】
2015134115.tif 000005
【図４】
2015134115.tif 000006
【図５】
2015134115.tif 000007
【図６】
2015134115.tif 000008
【図７】
2015134115.tif 000009
【図８】
2015134115.tif 000010
【図９】
2015134115.tif 000011